(57)【要約】【課題】高価な専用の部品を必要とすることなく、スイッチング信号の周波数を拡散させることができるスイッチング電源回路の提供。【解決手段】電圧Ｖ１を一端に印加した第1抵抗Ｒ１を通流する電流値に応じた周波数でスイッチングすることにより電圧変換するスイッチング電源回路。第１抵抗Ｒ１の一端に第２抵抗Ｒ２及び結合コンデンサＣ１を介して一端が接続され、他端が固定電位端子に接続されたコンデンサＣ２と、コンデンサＣ２の一端に第３抵抗Ｒ３を通じて電圧Ｖ２（＞Ｖ１）又は電圧Ｖ３（＜Ｖ１）を選択的に印加する印加手段１０と、所定の周期又はランダムなタイミングを作成する作成手段１１とを備え、作成手段１１が作成した周期又はタイミングで、印加手段１０が印加すべき電圧を切替える構成である。【選択図】図１
2013132199.tif 000002
【特許請求の範囲】
【請求項１】
電圧Ｖ１を一端に印加した第１抵抗を通流する電流値に応じた周波数でスイッチングすることにより電圧変換するスイッチング電源回路において、
前記第１抵抗の一端に第２抵抗及び結合コンデンサを介して一端が接続され、他端が固定電位端子に接続されたコンデンサと、該コンデンサの前記一端に第３抵抗を通じて電圧Ｖ２（＞Ｖ１）又は電圧Ｖ３（＜Ｖ１）を選択的に印加する印加手段と、所定の周期又はランダムなタイミングを作成する作成手段とを備え、該作成手段が作成した周期又はタイミングで、前記印加手段が印加すべき電圧を切替えるように構成してあることを特徴とするスイッチング電源回路。
【請求項２】
電圧Ｖ１を一端に印加した抵抗を通流する電流値に応じた周波数でスイッチングすることにより電圧変換するスイッチング電源回路の前記周波数を拡散させる方法において、
前記抵抗の一端に抵抗及び結合コンデンサを介して一端が接続され、他端が固定電位端子に接続されたコンデンサと、該コンデンサの一端に抵抗を通じて電圧Ｖ２（＞Ｖ１）又は電圧Ｖ３（＜Ｖ１）を切替え印加する印加手段と、前記一端の電圧値を検出する電圧検出手段とを用意し、該電圧検出手段が検出した電圧値が電圧Ｖ４（＜Ｖ１）以上であるときは、前記印加手段に電圧Ｖ３を印加させ、前記電圧検出手段が検出した電圧値が電圧Ｖ５（＜Ｖ４）以下であるときは、前記印加手段に電圧Ｖ２を印加させることを特徴とするスイッチング電源回路の周波数拡散方法。
【請求項３】
前記スイッチング電源回路の出力電流値を検出する電流検出手段を更に用意し、該電流検出手段が検出した電流値が所定値以下であるときは、電圧Ｖ４及び電圧Ｖ５をそれぞれ所定電圧上昇させる請求項２記載のスイッチング電源回路の周波数拡散方法。
【請求項４】
電圧Ｖ１を一端に印加した第１抵抗を通流する電流値に応じた周波数でスイッチングすることにより電圧変換するスイッチング電源回路において、
前記第１抵抗の一端に第２抵抗及び結合コンデンサを介して一端が接続され、他端が固定電位端子に接続されたコンデンサと、該コンデンサの一端に第３抵抗を通じて電圧Ｖ２（＞Ｖ１）又は電圧Ｖ３（＜Ｖ１）を切替え印加する印加手段と、前記一端の電圧値を検出する電圧検出手段とを備え、該電圧検出手段が検出した電圧値が電圧Ｖ４（＜Ｖ１）以上であるときは、前記印加手段が電圧Ｖ３を印加し、前記電圧検出手段が検出した電圧値が電圧Ｖ５（＜Ｖ４）以下であるときは、前記印加手段が電圧Ｖ２を印加するように構成してあることを特徴とするスイッチング電源回路。
【請求項５】
前記スイッチング電源回路の出力電流値を検出する電流検出手段を更に備え、該電流検出手段が検出した電流値が所定値以下であるときは、前記第４電圧Ｖ４及び第５電圧Ｖ５をそれぞれ所定電圧上昇させるように構成してある請求項４記載のスイッチング電源回路。
【発明の詳細な説明】
【技術分野】
【０００１】
本発明は、定電圧を印加した抵抗を通流する電流に応じた周波数でスイッチングすることにより電圧変換するスイッチング電源回路の周波数を拡散させるスイッチング電源回路の周波数拡散方法、及びこの周波数拡散方法を実行するスイッチング電源回路に関するものである。
【背景技術】
【０００２】
スイッチング電源回路は、スイッチング素子をオン／オフすることにより、直流電力を降圧又は昇圧する電源回路であり、断続する直流電力がトランス及び平滑回路、又は平滑回路のみを通流することにより電圧変換される。また、チョークコイルを使用し、回路を断続的に短絡させることにより昇圧するものもある。
スイッチング電源回路では、その変圧比は、スイッチング素子をオン／オフするパルス信号の周波数には関係せず、そのパルス信号のデューティ比により定められる。
【０００３】
その為、スイッチング電源回路では、スイッチング素子をスイッチングするパルス信号を、オペアンプを用いた三角波発生回路によりＰＷＭ（Pulse Width Modulation）制御して作成している。つまり、三角波発生回路が発生させた三角波と、所要電圧値に関連する電圧信号との大小を比較し、その比較結果に応じてパルス信号（ＰＷＭ信号）のデューティ比が定まる。
【０００４】
パルス信号の周波数は、三角波発生回路を構成する積分回路に通流する電流値で定まり、スイッチング用のパルス信号を作成するスイッチングＩＣでは、その積分回路に通流する電流値を定める為の抵抗が外付け又は内蔵されるようになっている。
スイッチング電源回路では、スイッチング素子をオン／オフすることにより電磁ノイズが発生するので、その電磁ノイズが特定の周波数に集中しないように、スイッチング用のパルス信号の周波数を時系列的に拡散させる様々な技術が提案され実用化されている。
【０００５】
特許文献１には、コンデンサを充電しかつ放電させる抵抗を用いて三角波を発生させ、発生させた三角波の電圧と電源の出力電圧とを比較することにより生成されるスイッチング信号の周波数を拡散させる周波数拡散回路が開示されている。他のコンデンサを介して抵抗に電流を供給する出力端子を有し、他のコンデンサへの充電経路と他のコンデンサの放電経路とが別個に設けられている。
【先行技術文献】
【特許文献】
【０００６】
【特許文献１】特開２０１１−１１５０２８号公報
【発明の概要】
【発明が解決しようとする課題】
【０００７】
前述した周波数拡散回路では、他のコンデンサへの充電と他のコンデンサの放電とを切替える為の高価な専用のオペアンプが必要であるという問題がある。
本発明は、上述したような事情に鑑みてなされたものであり、高価な専用の部品を必要とすることなく、スイッチング信号の周波数を拡散させることができるスイッチング電源回路の周波数拡散方法を提供することを目的とする。
また、本発明は、高価な専用の部品を必要とすることなく、スイッチング信号の周波数を拡散させることができるスイッチング電源回路を提供することを目的とする。
【課題を解決するための手段】
【０００８】
第１発明に係るスイッチング電源回路は、電圧Ｖ１を一端に印加した第１抵抗を通流する電流値に応じた周波数でスイッチングすることにより電圧変換するスイッチング電源回路において、前記第１抵抗の一端に第２抵抗及び結合コンデンサを介して一端が接続され、他端が固定電位端子に接続されたコンデンサと、該コンデンサの前記一端に第３抵抗を通じて電圧Ｖ２（＞Ｖ１）又は電圧Ｖ３（＜Ｖ１）を選択的に印加する印加手段と、所定の周期又はランダムなタイミングを作成する作成手段とを備え、該作成手段が作成した周期又はタイミングで、前記印加手段が印加すべき電圧を切替えるように構成してあることを特徴とする。
【０００９】
第１発明に係るスイッチング電源回路では、電圧Ｖ１を一端に印加した第１抵抗を通流する電流値に応じた周波数でスイッチングすることにより電圧変換する。第１抵抗の一端に、第２抵抗及び結合コンデンサを介して、一端が接続されたコンデンサが、他端が固定電位端子に接続されている。印加手段が、コンデンサの一端に第３抵抗を通じて電圧Ｖ２（＞Ｖ１）又は電圧Ｖ３（＜Ｖ１）を選択的に印加し、作成手段が、所定の周期又はランダムなタイミングを作成する。印加手段が、作成手段が作成した周期又はタイミングで、印加すべき電圧を切替える。
【００１０】
第２発明に係るスイッチング電源回路の周波数拡散方法は、電圧Ｖ１を一端に印加した抵抗を通流する電流値に応じた周波数でスイッチングすることにより電圧変換するスイッチング電源回路の前記周波数を拡散させる方法において、前記抵抗の一端に抵抗及び結合コンデンサを介して一端が接続され、他端が固定電位端子に接続されたコンデンサと、該コンデンサの一端に抵抗を通じて電圧Ｖ２（＞Ｖ１）又は電圧Ｖ３（＜Ｖ１）を切替え印加する印加手段と、前記一端の電圧値を検出する電圧検出手段とを用意し、該電圧検出手段が検出した電圧値が電圧Ｖ４（＜Ｖ１）以上であるときは、前記印加手段に電圧Ｖ３を印加させ、前記電圧検出手段が検出した電圧値が電圧Ｖ５（＜Ｖ４）以下であるときは、前記印加手段に電圧Ｖ２を印加させることを特徴とする。
【００１１】
第３発明に係るスイッチング電源回路の周波数拡散方法は、前記スイッチング電源回路の出力電流値を検出する電流検出手段を更に用意し、該電流検出手段が検出した電流値が所定値以下であるときは、電圧Ｖ４及び電圧Ｖ５をそれぞれ所定電圧上昇させることを特徴とする。
【００１２】
第４発明に係るスイッチング電源回路は、電圧Ｖ１を一端に印加した第１抵抗を通流す
る電流値に応じた周波数でスイッチングすることにより電圧変換するスイッチング電源回路において、前記第１抵抗の一端に第２抵抗及び結合コンデンサを介して一端が接続され、他端が固定電位端子に接続されたコンデンサと、該コンデンサの一端に第３抵抗を通じて電圧Ｖ２（＞Ｖ１）又は電圧Ｖ３（＜Ｖ１）を切替え印加する印加手段と、前記一端の電圧値を検出する電圧検出手段とを備え、該電圧検出手段が検出した電圧値が電圧Ｖ４（＜Ｖ１）以上であるときは、前記印加手段が電圧Ｖ３を印加し、前記電圧検出手段が検出した電圧値が電圧Ｖ５（＜Ｖ４）以下であるときは、前記印加手段が電圧Ｖ２を印加するように構成してあることを特徴とする。
【００１３】
第２発明に係るスイッチング電源回路の周波数拡散方法及び第４発明に係るスイッチング電源回路では、電圧Ｖ１を一端に印加した第１抵抗を通流する電流値に応じた周波数でスイッチングすることにより電圧変換する。第１抵抗の一端に第２抵抗及び結合コンデンサを介してコンデンサの一端が接続され、コンデンサの他端が固定電位端子に接続されている。印加手段が、コンデンサの一端に第３抵抗を通じて電圧Ｖ２（＞Ｖ１）又は電圧Ｖ３（＜Ｖ１）を切替え印加し、電圧検出手段が、コンデンサの一端の電圧値を検出する。電圧検出手段が検出した電圧値が電圧Ｖ４（＜Ｖ１）以上であるときは、印加手段が電圧Ｖ３を印加し、電圧検出手段が検出した電圧値が電圧Ｖ５（＜Ｖ４）以下であるときは、印加手段が電圧Ｖ２を印加する。
【００１４】
第５発明に係るスイッチング電源回路は、前記スイッチング電源回路の出力電流値を検出する電流検出手段を更に備え、該電流検出手段が検出した電流値が所定値以下であるときは、前記第４電圧Ｖ４及び第５電圧Ｖ５をそれぞれ所定電圧上昇させるように構成してあることを特徴とする。
【００１５】
第３発明に係るスイッチング電源回路の周波数拡散方法及び第５発明に係るスイッチング電源回路では、電流検出手段が、スイッチング電源回路の出力電流値を検出し、電流検出手段が検出した電流値が所定値以下であるときは、第４電圧Ｖ４及び第５電圧Ｖ５をそれぞれ所定電圧上昇させる。これにより、負荷が小さいときは、スイッチング周波数を低下させることができ、エネルギー効率を向上させることができる。
【発明の効果】
【００１６】
本発明に係るスイッチング電源回路の周波数拡散方法及びスイッチング電源回路によれば、高価な専用の部品を必要とすることなく、他で使用しているマイクロコンピュータを兼用することができ、低部品コストでスイッチング信号の周波数を拡散させることができる
【図面の簡単な説明】
【００１７】
【図１】本発明に係るスイッチング電源回路の実施の形態の構成を示すブロック図である。
【図２】図１に示すスイッチング電源回路の動作の例を示すフローチャートである。
【図３】本発明に係るスイッチング電源回路の実施の形態の他の構成例を示すブロック図である。
【図４】本発明に係るスイッチング電源回路の実施の形態の他の構成例を示すブロック図である。
【図５】本発明に係るスイッチング電源回路の周波数拡散方法及びスイッチング電源回路の実施の形態の構成を示すブロック図である。
【図６】図５に示すスイッチング電源回路の動作の例を示すフローチャートである。
【発明を実施するための形態】
【００１８】
以下に、本発明をその実施の形態を示す図面に基づき説明する。
（実施の形態１）
図１は、本発明に係るスイッチング電源回路の実施の形態１の構成を示すブロック図である。
このスイッチング電源回路は、車両に搭載され、昇圧又は降圧するＤＣ／ＤＣコンバータ１ａと、ＤＣ／ＤＣコンバータ１ａが内蔵するスイッチング素子４をスイッチングするスイッチングＩＣ２と、スイッチングＩＣ２のスイッチング周波数を拡散させる為のマイクロコンピュータ（以下、マイコンと記載）３とを備えている。
【００１９】
スイッチングＩＣ２は、図示しないオペアンプを用いた三角波発生回路を備えている。スイッチングＩＣ２は、三角波発生回路が発生させた三角波と、ＤＣ／ＤＣコンバータ１ａの出力電圧を抵抗Ｒ４，Ｒ５で分圧し、フィードバックした電圧値との大小を比較し、三角波が大のときにオンとするデューティ比のパルス信号（ＰＷＭ信号）を出力し、スイッチング素子４をスイッチングする。
【００２０】
スイッチングＩＣ２が出力するパルス信号の周波数は、三角波発生回路を構成する積分回路に通流する電流値で定まり、その積分回路に通流する電流値を定める為の抵抗（第１抵抗）Ｒ１が、スイッチングＩＣ２に外付けされている。スイッチングＩＣ２は、例えば２Ｖの定電圧（電圧Ｖ１）を抵抗Ｒ１に印加しており、抵抗Ｒ１が大きい程、それに通流する電流が小さくなり、パルス信号の周波数は低下する。スイッチングＩＣ２には、また、位相補償する（周波数を変化させる）為のコンデンサＣ２が外付けされている。尚、抵抗Ｒ１及びコンデンサＣ２は、スイッチングＩＣ２本体に内蔵されたものであっても良い。
【００２１】
ＤＣ／ＤＣコンバータ１ａは、スイッチング素子４をオン／オフすることにより、直流電力（ここでは、車載バッテリからの電力）を降圧又は昇圧するものであり、断続する直流電力がトランス及び平滑回路、又は平滑回路のみ（ここでは、図示を省略）を通流することにより電圧変換される。また、図示しないチョークコイルを使用し、スイッチング素子４で回路を断続的に短絡させることにより昇圧するものであっても良い。
【００２２】
スイッチングＩＣ２の抵抗Ｒ１が外付けされている端子には、抵抗（第２抵抗）Ｒ２及び結合コンデンサＣ１を介して、コンデンサＣ３の一方の端子が接続され、コンデンサＣ３の他方の端子は接地されている。尚、結合コンデンサＣ１は省略しても良い。
コンデンサＣ３の一方の端子は、また、抵抗（第３抵抗）Ｒ３を介してマイコン３のＩ／Ｏ端子（印加手段）１０に接続されている。Ｉ／Ｏ端子１０からは、５Ｖ（＝Ｖｃｃ）又は０Ｖが出力される。
【００２３】
マイコン３は、イグニッションキーの操作信号等、昇圧又は降圧の電圧変換の開始／停止を指示する信号を受信するＩ／Ｏ端子９と、スイッチングＩＣ２へ昇圧又は降圧の電圧変換の開始／停止を命令する信号を送信するＩ／Ｏ端子７とを備えている。マイコン３は、また、Ｉ／Ｏ端子９が受信した昇圧又は降圧の電圧変換の開始を指示する信号に基づき、所定周期又はランダムなタイミングを作成するタイミング作成手段（作成手段）１１を備えている。
【００２４】
以下に、このような構成のスイッチング電源回路の動作を、それを示す図２のフローチャートを参照しながら説明する。
マイコン３は、先ず、フラグＦ＝０にし、Ｉ／Ｏ端子１０からの出力をオフ（０Ｖ）にする（Ｓ３１）。次いで、Ｉ／Ｏ端子９で電圧変換（昇圧又は降圧）開始を指示する信号を受信しているか否かを判定する（Ｓ３３）。
マイコン３は、Ｉ／Ｏ端子９で電圧変換開始を指示する信号を受信していなければ、受信する迄待機する（Ｓ３３）。マイコン３は、電圧変換開始を指示する信号を受信していれば（Ｓ３３）、Ｉ／Ｏ端子７からスイッチングＩＣ２へ電圧変換開始を命令する信号を出力する（Ｓ３５）。
【００２５】
スイッチングＩＣ２は、電圧変換開始を命令する信号を受信すると、抵抗Ｒ１の外付け端子を通流する電流値に応じた周波数のパルス信号（ＰＷＭ信号）を作成して、スイッチング素子４へ与える動作を開始する。
マイコン３は、次に、タイミング作成手段１１にランダムなタイミングの作成を開始させる（Ｓ３７）。
【００２６】
マイコン３は、タイミング作成手段１１がランダムなタイミングを作成すると（Ｓ３９）、フラグＦ＝０であるか否かを判定し（Ｓ４１）、フラグＦ＝０であれば、Ｉ／Ｏ端子１０からの出力をオン（５Ｖ）にし、フラグＦ＝１とする（Ｓ４３）。
これにより、Ｖｃｃ＝５Ｖが抵抗Ｒ３を通じてコンデンサＣ３に印加されて充電が開始され、コンデンサＣ３の端子電圧値が上昇し始める。
マイコン３は、次いで、Ｉ／Ｏ端子９で電圧変換停止を指示する信号を受信しているか否かを判定し（Ｓ４７）、受信していなければ、タイミング作成手段１１にランダムなタイミングの作成を開始させる（Ｓ３７）。
【００２７】
マイコン３は、フラグＦ＝０でなければ（Ｓ４１）、Ｉ／Ｏ端子１０からの出力をオフ（０Ｖ）にし、フラグＦ＝０にする（Ｓ４５）。
これにより、０Ｖが抵抗Ｒ３を通じてコンデンサＣ３に印加されて放電が開始され、コンデンサＣ３の端子電圧値が下降し始める。
マイコン３は、次いで、Ｉ／Ｏ端子９で電圧変換停止を指示する信号を受信しているか否かを判定し（Ｓ４７）、受信していなければ、タイミング作成手段１１にランダムなタイミングの作成を開始させる（Ｓ３７）。
【００２８】
マイコン３は、Ｉ／Ｏ端子９で電圧変換停止を指示する信号を受信していれば（Ｓ４７）、Ｉ／Ｏ端子７で電圧変換停止を命令する信号を出力し（Ｓ４９）、フラグＦ＝０にし、Ｉ／Ｏ端子１０からの出力をオフ（０Ｖ）にする（Ｓ３１）。次いで、Ｉ／Ｏ端子９で電圧変換開始を指示する信号を受信する迄待機する（Ｓ３３）。
尚、タイミング作成手段１１が作成するタイミング（Ｓ３７，３９）は、所定周期であっても良い。
【００２９】
マイコン３の上述した動作により、コンデンサＣ３の端子電圧値は、ランダムに又は所定周期で変化し、抵抗Ｒ２のコンデンサＣ３側（又は結合コンデンサＣ１側）の端子電圧も同様に変化する。この端子電圧の変化により、抵抗Ｒ２を通流する電流値が変化し、抵抗Ｒ１を通流する電流値も変化するので、この変化に応じて、スイッチングＩＣ２が出力するパルス信号の周波数が拡散されることになる。
【００３０】
例えば、抵抗Ｒ２のコンデンサＣ３側（又は結合コンデンサＣ１側）の端子電圧が下降すると、抵抗Ｒ２を通流する電流値が増加し、抵抗Ｒ１の抵抗Ｒ２との接続端子を通流する電流値も増加するので、スイッチングＩＣ２が出力するパルス信号の周波数は上昇することになる。
尚、マイコン３、抵抗Ｒ３及びコンデンサＣ３による端子電圧値の周波数は数百Ｈｚ程度、スイッチングＩＣ２が出力するパルス信号の周波数は数十ｋＨｚ程度である。
【００３１】
図３は、本発明に係るスイッチング電源回路の実施の形態１の他の構成例を示すブロック図である。
このスイッチング電源回路は、前述したように、スイッチングＩＣ２のパルス信号を位相補償する（周波数を変化させる）為のコンデンサＣ２が、スイッチングＩＣ２本体に内蔵されている。その他の構成及び動作は、図１及び図２で説明した構成及び動作と同様である。
【００３２】
図４は、本発明に係るスイッチング電源回路の実施の形態１の他の構成例を示すブロック図である。
このスイッチング電源回路は、前述したように、スイッチングＩＣ２が出力するパルス信号の周波数を定める為の抵抗Ｒ１が、スイッチングＩＣ２本体に内蔵され、スイッチングＩＣ２のパルス信号を位相補償する（周波数を変化させる）為のコンデンサＣ２が、スイッチングＩＣ２に外付けされている。その他の構成及び動作は、図１及び図２で説明した構成及び動作と同様である。
【００３３】
（実施の形態２）
図５は、本発明に係るスイッチング電源回路の周波数拡散方法及びスイッチング電源回路の実施の形態２の構成を示すブロック図である。
このスイッチング電源回路は、スイッチングＩＣ２が出力するパルス信号の周波数が、三角波発生回路を構成する積分回路に通流する電流値で定まり、その積分回路に通流する電流値を定める為の抵抗（第１抵抗）Ｒ１が外付けされている。スイッチングＩＣ２には、また、位相補償する（周波数を変化させる）為のコンデンサＣ２が外付けされている。
【００３４】
コンデンサＣ３の一方の端子は、マイコン３の電圧検出端子（電圧検出手段）６に接続されると共に、抵抗（第３抵抗）Ｒ３を介してマイコン３のＩ／Ｏ端子（印加手段）１０に接続されている。Ｉ／Ｏ端子１０からは、５Ｖ（＝Ｖｃｃ）又は０Ｖが出力される。
【００３５】
マイコン３は、イグニッションキーの操作信号等、昇圧（又は降圧）開始／停止を指示する信号を受信するＩ／Ｏ端子９と、スイッチングＩＣ２へ昇圧（又は降圧）開始／停止を命令する信号を送信するＩ／Ｏ端子７とを備えている。また、マイコン３は、ＤＣ／ＤＣコンバータ１の出力電流値（負荷電流値）を検出する電流検出器（電流検出手段）５から負荷電流値をＡ／Ｄ変換して読込む電流値読込端子８を備えており、タイミング作成手段１１は備えていない。本実施の形態１に係るスイッチング電源回路のその他の構成は、前述した実施の形態１のスイッチング電源回路の構成と同様であるので、説明を省略する。
【００３６】
以下に、このような構成のスイッチング電源回路の動作を、それを示す図６のフローチャートを参照しながら説明する。
マイコン３は、先ず、フラグＦ＝０にし、Ｉ／Ｏ端子１０からの出力をオフ（０Ｖ）にする（Ｓ１）。次いで、Ｉ／Ｏ端子９で昇圧（ここでは昇圧とする）開始を指示する信号を受信しているか否かを判定する（Ｓ３）。
マイコン３は、Ｉ／Ｏ端子９で昇圧開始を指示する信号を受信していなければ、受信する迄待機する（Ｓ３）。マイコン３は、昇圧開始を指示する信号を受信していれば（Ｓ３）、Ｉ／Ｏ端子７からスイッチングＩＣ２へ昇圧開始を命令する信号を出力する（Ｓ５）。
【００３７】
スイッチングＩＣ２は、昇圧開始を命令する信号を受信すると、抵抗Ｒ１の外付け端子を通流する電流値に応じた周波数のパルス信号（ＰＷＭ信号）を作成して、スイッチング素子４へ与える動作を開始する。
マイコン３は、スイッチングＩＣ２へ昇圧開始を命令する信号を出力した後（Ｓ５）、電流値読込端子８で電流検出器５からの負荷電流値を読込む（Ｓ７）。
【００３８】
マイコン３は、次に、読込んだ負荷電流値が所定電流値以下であるか否かを判定し、所定電流値以下でなければ、例えば、上限値Ｖ４＝１．７Ｖ、下限値Ｖ５＝１．３Ｖに設定する（Ｓ９）。
マイコン３は、読込んだ負荷電流値が所定電流値以下であれば、例えば、上限値Ｖ４＝１．９Ｖ、下限値Ｖ５＝１．５Ｖに設定する（Ｓ９）。このように、上限値Ｖ４及び下限値Ｖ５をそれぞれ上昇させることにより、抵抗Ｒ２の結合コンデンサＣ１側の端子電圧が全体的に上昇するので、抵抗Ｒ２を通流する電流値が減少する。これにより、スイッチングＩＣ２の抵抗Ｒ１が外付けされた端子を通流する電流値も減少するので、スイッチングＩＣ２が出力するパルス信号の周波数は低下することになる。
【００３９】
マイコン３は、次に、電圧検出端子６でコンデンサＣ３の端子電圧値Ｖｃを読込み（Ｓ１１）、フラグＦ＝０であり、かつ読込んだ（端子）電圧値Ｖｃが下限値Ｖ５以下であるか否かを判定する（Ｓ１３）。
マイコン３は、フラグＦ＝０であり、かつ電圧値Ｖｃが下限値Ｖ５以下であれば（Ｓ１３）、Ｉ／Ｏ端子１０からの出力をオン（５Ｖ）にすると共に、フラグＦ＝１にする（Ｓ２１）。
【００４０】
これにより、コンデンサＣ３の端子電圧値Ｖｃが下限値Ｖ５以下になったときに、Ｖｃｃ＝５Ｖが抵抗Ｒ３を通じてコンデンサＣ３に印加されて充電が開始され、コンデンサＣ３の端子電圧値Ｖｃが上昇し始める。
マイコン３は、次いで、Ｉ／Ｏ端子９で昇圧停止を指示する信号を受信しているか否かを判定し（Ｓ１７）、受信していなければ、電流値読込端子８で電流検出器５からの負荷電流値を読込む（Ｓ７）。
【００４１】
マイコン３は、フラグＦ＝０であり、かつ電圧値Ｖｃが下限値Ｖ５以下でなければ（Ｓ１３）、フラグＦ＝１であり、かつ電圧値Ｖｃが上限値Ｖ４以上であるか否かを判定する（Ｓ１５）。
マイコン３は、フラグＦ＝１であり、かつ電圧値Ｖｃが上限値Ｖ４以上であれば（Ｓ１５）、Ｉ／Ｏ端子１０からの出力をオフ（０Ｖ）にすると共に、フラグＦ＝０にする（Ｓ２３）。
【００４２】
これにより、コンデンサＣ３の端子電圧値Ｖｃが上限値Ｖ４以上になったときに、０Ｖが抵抗Ｒ３を通じてコンデンサＣ３に印加されて放電が開始され、コンデンサＣ３の端子電圧値Ｖｃが下降し始める。
マイコン３は、次いで、Ｉ／Ｏ端子９で昇圧停止を指示する信号を受信しているか否かを判定し（Ｓ１７）、受信していなければ、電流値読込端子８で電流検出器５からの負荷電流値を読込む（Ｓ７）。
【００４３】
マイコン３は、フラグＦ＝１であり、かつ電圧値Ｖｃが上限値Ｖ４以上でなければ（Ｓ１５）、Ｉ／Ｏ端子９で昇圧停止を指示する信号を受信しているか否かを判定し（Ｓ１７）、受信していなければ、電流値読込端子８で電流検出器５からの負荷電流値を読込む（Ｓ７）。
マイコン３は、Ｉ／Ｏ端子９で昇圧停止を指示する信号を受信していれば（Ｓ１７）、Ｉ／Ｏ端子７で昇圧停止を命令する信号を出力し（Ｓ１９）、フラグＦ＝０にし、Ｉ／Ｏ端子１０からの出力をオフ（０Ｖ）にした後（Ｓ１）、Ｉ／Ｏ端子９で昇圧開始を指示する信号を受信する迄待機する（Ｓ３）。
【００４４】
マイコン３の上述した動作により、コンデンサＣ３の端子電圧値Ｖｃが変化し、抵抗Ｒ２の結合コンデンサＣ１側の端子電圧も同様に変化する。この端子電圧の変化により、抵抗Ｒ２を通流する電流値が変化し、スイッチングＩＣ２の抵抗Ｒ１が外付けされた端子を通流する電流値も変化するので、この変化に応じて、スイッチングＩＣ２が出力するパルス信号の周波数が拡散されることになる。
【００４５】
例えば、抵抗Ｒ２の結合コンデンサＣ１側の端子電圧が下降すると、抵抗Ｒ２を通流する電流値が増加し、スイッチングＩＣ２の抵抗Ｒ１が外付けされた端子を通流する電流値も増加するので、スイッチングＩＣ２が出力するパルス信号の周波数は上昇することになる。
尚、本実施の形態２では、スイッチング電源回路の動作を昇圧の場合で説明したが、降圧の場合でも同様に適用できる。この場合、図５のＩ／Ｏ端子９は、降圧の開始・停止を指示する信号を受信し、図６のフローチャートにおいて「昇圧」を「降圧」に読みかえれば良い。
【符号の説明】
【００４６】
１，１ａ  ＤＣ／ＤＣコンバータ
２  スイッチングＩＣ
３  マイクロコンピュータ（マイコン）
４  スイッチング素子
５  電流検出器（電流検出手段）
６  電圧検出端子（電圧検出手段）
７，９  Ｉ／Ｏ端子
８  電流値読込端子
１０  Ｉ／Ｏ端子（印加手段）
１１  タイミング作成手段（作成手段）
Ｃ１  結合コンデンサ
Ｃ２，Ｃ３  コンデンサ
Ｒ１  抵抗（第１抵抗）
Ｒ２  抵抗（第２抵抗）
Ｒ３  抵抗（第３抵抗）
Ｒ４，Ｒ５  抵抗
【図１】
2013132199.tif 000003
【図２】
2013132199.tif 000004
【図３】
2013132199.tif 000005
【図４】
2013132199.tif 000006
【図５】
2013132199.tif 000007
【図６】
2013132199.tif 000008